(57)【特許請求の範囲】
【請求項１】
前面に吸込口を備え、上面に駆動装置により開閉される開閉ルーバを有する吐出口を備え、これら吸込口および吐出口を結ぶ空気通路を備えた本体の内部を、仕切板によって前後に区画し、区画された前部収容部に集塵フィルタおよび脱臭フィルタからなる空気清浄フィルタを設けると共に、後部収容部にファンモータにより駆動されるファンを設けてなる空気清浄機において、
前記空気清浄フィルタの下流側に、光触媒フィルタと、同光触媒フィルタに対向した紫外線ランプとを設け、
運転状態の時、前記ファンを駆動し、前記吐出口を全開すると共に、前記紫外線ランプへの通電を停止し、運転停止状態の時に前記吐出口を全閉すると共に、前記紫外線ランプに通電し、運転再開時に前記吐出口を半開とし、所定時間を経過後に全開すると共に、前記紫外線ランプへの通電を停止するようにしてなることを特徴とする空気清浄機。
【請求項２】
前記光触媒フィルタと、同光触媒フィルタに対向した紫外線ランプとが、前記前部収容部に設けられてなることを特徴とする請求項１に記載の空気清浄機。
【請求項３】
前記光触媒フィルタと、同光触媒フィルタに対向した紫外線ランプとが、前記後部収容部に設けられてなることを特徴とする請求項１に記載の空気清浄機。
【請求項４】
前面に吸込口を備え、上面に吐出口を備え、これら吸込口および吐出口を結ぶ空気通路を備えた本体の内部を、仕切板によって前後に区画し、区画された前部収容部に集塵フィルタおよび脱臭フィルタからなる空気清浄フィルタを設けると共に、後部収容部にファンモータにより駆動されるファンを設けてなる空気清浄機において、
前記後部収容部が、補助仕切板により左右に区画され、メインダンパにより開閉されるメイン空気通路と、光触媒ダンパにより開閉される光触媒空気通路とからなり、同光触媒空気通路に、光触媒フィルタと、同光触媒フィルタに対向した紫外線ランプとを設け、
運転状態の時、前記ファンを駆動し、前記メイン空気通路を解放する一方、前記光触媒空気通路を閉塞すると共に、前記紫外線ランプに通電し、運転停止の状態から運転を再開した時、前記メイン空気通路を閉塞する一方、前記光触媒空気通路を解放するようにしてなることを特徴とする空気清浄機。
【請求項５】
前記光触媒フィルタが、メッシュ状の触媒担体からなることを特徴とする請求項１乃至請求項４の何れかに記載の空気清浄機。
【請求項６】
前記光触媒空気通路の内壁面が鏡面状に形成されてなることを特徴とする請求項４に記載の空気清浄機。
【発明の詳細な説明】
【０００１】
【発明の属する技術分野】
本発明は、空気清浄機に係わり、より詳細には、とくに運転再開時に放散される活性炭からの臭気を大幅に低減できるようにした構造に関する。
【０００２】
【従来の技術】
従来の空気清浄機は、例えば特開２０００ー１２６５２７号公報により開示されているように、脱臭フィルタの下流側に光触媒ユニットを配置することにより、活性炭で取りきれなかった臭いや、活性炭から放散される臭いを無臭化させる試みがなされている。
【０００３】
しかしながら、光触媒は、臭いの吸着と分解という効能を有してはいるが、分解速度は、家庭用空気清浄機の風速に比べて遅いため、初期の吸着後は、分解速度に見合った少量の臭いしか処理できないため、例えば、運転停止時に電源が切られていると、触媒を活性化するための光源も点灯していないので、運転再開後の光触媒は、臭いの吸着が飽和状態のままであり、運転再開時の強い臭いの放散には対応できていないという問題点を有していた。
【０００４】
【発明が解決しようとする課題】
本発明においては、上記の問題点に鑑み、とくに運転再開時に放散される活性炭からの臭気を大幅に低減できるようにした空気清浄機を提供することを目的とする。
【０００５】
【課題を解決するための手段】
本発明は、上記課題を解決するため、前面に吸込口を備え、上面に駆動装置により開閉される開閉ルーバを有する吐出口を備え、これら吸込口および吐出口を結ぶ空気通路を備えた本体の内部を、仕切板によって前後に区画し、区画された前部収容部に集塵フィルタおよび脱臭フィルタからなる空気清浄フィルタを設けると共に、後部収容部にファンモータにより駆動されるファンを設けてなる空気清浄機において、前記空気清浄フィルタの下流側に、光触媒フィルタと、同光触媒フィルタに対向した紫外線ランプとを設け、運転状態の時、前記ファンを駆動し、前記吐出口を全開すると共に、前記紫外線ランプへの通電を停止し、運転停止状態の時に前記吐出口を全閉すると共に、前記紫外線ランプに通電し、運転再開時に前記吐出口を半開とし、所定時間を経過後に全開すると共に、前記紫外線ランプへの通電を停止するようにした構成となっている。
【０００７】
また、前記光触媒フィルタと、同光触媒フィルタに対向した紫外線ランプとが、前記前部収容部に設けられた構成となっている。
【０００８】
また、前記光触媒フィルタと、同光触媒フィルタに対向した紫外線ランプとが、前記後部収容部に設けられた構成となっている。
【０００９】
また、前面に吸込口を備え、上面に吐出口を備え、これら吸込口および吐出口を結ぶ空気通路を備えた本体の内部を、仕切板によって前後に区画し、区画された前部収容部に集塵フィルタおよび脱臭フィルタからなる空気清浄フィルタを設けると共に、後部収容部にファンモータにより駆動されるファンを設けてなる空気清浄機において、
前記後部収容部が、補助仕切板により左右に区画され、メインダンパにより開閉されるメイン空気通路と、光触媒ダンパにより開閉される光触媒空気通路とからなり、同光触媒空気通路に、光触媒フィルタと、同光触媒フィルタに対向した紫外線ランプとを設け、
運転状態の時、前記ファンを駆動し、前記メイン空気通路を解放する一方、前記光触媒空気通路を閉塞すると共に、前記紫外線ランプに通電し、運転停止の状態から運転を再開した時、前記メイン空気通路を閉塞する一方、前記光触媒空気通路を解放するようにした構成となっている。
【００１１】
また、前記光触媒フィルタが、メッシュ状の触媒担体からなる構成となっている。
【００１２】
更に、前記光触媒空気通路の内壁面が鏡面状に形成された構成となっている。
【００１３】
【発明の実施の形態】
以下、本発明の実施の形態を図面に基づいた実施例として詳細に説明する。
図１は本発明による空気清浄機の説明断面図で、（Ａ）は斜視図、（Ｂ）は断面図であり、図２は本発明による空気清浄機の要部説明図で、（Ａ）は断面図、（Ｂ）は（Ａ）で示すＡーＡ断面図、（Ｃ）は（Ｂ）で示すＢーＢ断面図であり、図３は運転状態を示すタイミングチャートで、（Ａ）は第一の例を示し、（Ｂ）は第二の例を示し、（Ｂ）は第三の例を示す。
【００１４】
本発明による空気清浄機は、図で示すように、前面に吸込口１を備え、上面に駆動装置により開閉される開閉ルーバ２を有する吐出口３を備え、これら吸込口１および吐出口３を結ぶ空気通路を備えた本体の内部を、仕切板４によって前後の収容部に区画されている。
【００１５】
区画された前部収容部５には集塵フィルタ６および脱臭フィルタ７からなる空気清浄フィルタ８を設けると共に、後部収容部９にはファンモータ10により駆動されるファン11を設けた構成となっている。
【００１６】
そして、第一例として図１（Ｂ）で示すように、前記空気清浄フィルタ８の下流側となる前記前部収容部５に、光触媒フィルタ12と、同光触媒フィルタ12に対向する紫外線ランプ13とを着脱可能に設け、第一の事例として図３（Ａ）で示すタイムチャートのように、前記ファン11が駆動され、前記開閉ルーバ２により前記吐出口３が全開され、前記紫外線ランプ13に通電されている運転状態の時、同紫外線ランプ13に通電させた状態のままで、図３（Ａ）のａ部で示すように前記ファン11を停止させて、前記開閉ルーバ２により前記吐出口３を全閉するようにし、図３（Ａ）のｂ部で示すように前記ファン11が再起動して、前記開閉ルーバ２が前記吐出口３を半開するようにし、所定時間経過後に全開するように構成されている。
【００１７】
これにより、前記ファン11の停止時であっても、前記光触媒フィルタ12を活性化するための前記紫外線ランプ13は点灯していることから、更に、前記ファン11が再起動された際、前記開閉ルーバ２が、前記吐出口３を半開したのち所定の時間を経て全開するようにしていることから、運転再開後の前記光触媒フィルタ12は臭いの吸着が飽和状態のままとはならない上、仮に運転再開時の臭いが僅かにあったとしても、前記吐出口３を半開したのち所定の時間を経て全開するので、臭いが直ちに放散されて不快感を与えてしまうということがなくなる。
【００１８】
また、図１（Ｂ）で示すように、前記空気清浄フィルタ８の下流側となる前記前部収容部５に、光触媒フィルタ12と、同光触媒フィルタ12に対向する紫外線ランプ13とを着脱可能に設け、第二の事例として図３（Ｂ）で示すタイムチャートのように、前記ファン11が駆動され、前記開閉ルーバ２により前記吐出口３が全開され、前記紫外線ランプ13に通電されていない運転状態の時、同紫外線ランプに通電するのと同時に、図３（Ｂ）のａ部で示すように前記ファン11を停止させて、前記開閉ルーバ２により前記吐出口３を全閉するようにし、図３（Ｂ）のｂ部で示すように前記ファン11が再起動されて、前記開閉ルーバ２が前記吐出口３を半開したのち所定の時間を経て全開するのと同時に、前記紫外線ランプ13への通電を停止するように構成されている。
【００１９】
これにより、前記ファン11を停止するのと同時に、前記光触媒フィルタ12を活性化するための前記紫外線ランプ13を点灯することから、更に、前記ファン11が再起動された際、前記開閉ルーバ２が、前記吐出口３を半開したのち所定の時間を経て全開するようにしていることから、運転再開後の前記光触媒フィルタ12は臭いの吸着が飽和状態のままとはならない上、仮に運転再開時の臭いが僅かにあったとしても、前記吐出口３を半開したのち所定の時間を経て全開するので、臭いが直ちに放散されて不快感を与えてしまうということがなくなる。
【００２０】
また、第二例として図２（Ａ）で示すように、前記ファン11の下流側となる前記後部収容部９に、光触媒フィルタ12と、同光触媒フィルタ12に対向する紫外線ランプ13とを着脱可能に設け、第一の事例として図３（Ａ）で示すタイムチャートのように、前記ファン11が駆動され、前記開閉ルーバ２により前記吐出口３が全開され、前記紫外線ランプ13に通電されている運転時に、同紫外線ランプ13に通電させた状態のままで、図３（Ａ）のａ部で示すように前記ファン11を停止させて、前記開閉ルーバ２により前記吐出口３を全閉するようにし、図３（Ａ）のｂ部で示すように前記ファン11が再起動されて、前記開閉ルーバ２が前記吐出口３を半開したのち所定の時間を経て全開するようにした構成となっている。
【００２１】
これにより、前記ファン11の停止時であっても、前記光触媒フィルタ12を活性化するための前記紫外線ランプ13は点灯していることから、更に、前記ファン11が再起動された際、前記開閉ルーバ２が、前記吐出口３を半開したのち所定時間経過後に全開するようにしていることから、運転再開後の前記光触媒フィルタ12は臭いの吸着が飽和状態のままとはならない上、仮に運転再開時の臭いが僅かにあったとしても、前記吐出口３を半開したのち所定の時間を経て全開するので、臭いが直ちに放散されて不快感を与えてしまうということがなくなる。
【００２２】
また、図２（Ａ）で示すように、前記ファン11の下流側となる前記後部収容部９に、光触媒フィルタ12と、同光触媒フィルタ12に対向する紫外線ランプ13とを着脱可能に設け、第二の事例として図３（Ｂ）で示すタイムチャートのように、前記ファン11が駆動され、前記開閉ルーバ２により前記吐出口３が全開され、前記紫外線ランプ13に通電されていない運転状態の時、同紫外線ランプに通電するのと同時に、図３（Ｂ）のａ部で示すように前記ファン11を停止させて、前記開閉ルーバ２により前記吐出口３を全閉するようにし、図３（Ｂ）のｂ部で示すように前記ファン11が再起動されて、前記開閉ルーバ２が前記吐出口３を半開したのち所定時間経過後に全開するのと同時に、前記紫外線ランプ13への通電を停止するように構成されている。
【００２３】
これにより、前記ファン11を停止するのと同時に、前記光触媒フィルタ12を活性化するための前記紫外線ランプ13を点灯することから、更に、前記ファン11が再起動された際、前記開閉ルーバ２が、前記吐出口３を半開したのち所定時間経過後に全開するようにしていることから、運転再開後の前記光触媒フィルタ12は臭いの吸着が飽和状態のままとはならない上、仮に運転再開時の臭いが僅かにあったとしても、前記吐出口３を半開したのち所定時間経過後に全開するので、臭いが直ちに放散されて不快感を与えてしまうということがなくなる。
【００２４】
また、第三例として図２（Ｂ）および図２（Ｃ）で示すように、前記ファン11の下流側となる前記後部収容部９が、補助仕切板4'により左右に区画され、メインダンパ14により開閉されるメイン空気通路15と、光触媒ダンパ16により開閉される光触媒空気通路17とからなると共に、同光触媒空気通路17に、光触媒フィルタ12と、同光触媒フィルタ12に対向する紫外線ランプ13とを設け、第二の事例として図３（Ｃ）で示すタイムチャートのように、前記ファン11が駆動され、前記メインダンパ14により前記メイン空気通路15が解放される一方、前記光触媒ダンパ16により前記光触媒空気通路17が閉塞され、且つ前記紫外線ランプ13に通電されている運転状態の時、同紫外線ランプ13に通電させたままの状態で、図３（Ｃ）のａ部で示すように前記ファン11を停止したのち、所定の時間を経て図３（Ｃ）のｂ部で示すように再起動させて、前記メインダンパ14により前記メイン空気通路15を閉塞する一方、前記光触媒ダンパ16により前記光触媒空気通路17を解放するように構成されている。
【００２５】
これにより、前記ファン11の停止時であっても、前記光触媒フィルタ12を活性化するための前記紫外線ランプ13は点灯し、前記メインダンパ14は前記メイン空気通路15を解放し、前記光触媒ダンパ16は前記光触媒空気通路17を閉塞していることから、図３（Ｃ）のａ部で示すように前記ファン11を停止したのち、所定の時間を経て図３（Ｃ）のｂ部で示すように再起動させて、前記メインダンパ14が前記メイン空気通路15を暫時閉塞したのち解放し、前記光触媒ダンパ16が前記光触媒空気通路17を暫時解放したのち閉塞するので、運転再開後の前記光触媒フィルタ12は臭いの吸着が飽和状態のままとはならない上、仮に運転再開時の臭いが僅かにあったとしても、臭いが直ちに放散されて不快感を与えてしまうということがなくなる。
【００２６】
なお、前記光触媒空気通路17の長さｈを３０■〜４０■にすると共に、その内壁面を鏡面状に形成し、且つ前記光触媒フィルタ12がメッシュ状の触媒担体からなる構成としたことにより、脱臭性能を更に高めて快適な居住空間を提供できるようになる。
【００２７】
【発明の効果】
以上説明したように、本発明によれば、とくに運転再開時に放散される活性炭からの臭気を大幅に低減できるようにした空気清浄機となる。
【図面の簡単な説明】
【図１】本発明による空気清浄機の説明断面図で、（Ａ）は斜視図であり、（Ｂ）は断面図である。
【図２】本発明による空気清浄機の要部説明図で、（Ａ）は断面図であり、（Ｂ）は（Ａ）で示すＡーＡ断面図であり、（Ｃ）は（Ｂ）で示すＢーＢ断面図である。
【図３】運転状態を示すタイミングチャートで、（Ａ）は第一の例を示し、（Ｂ）は第二の例を示し、（Ｂ）は第三の例を示す。
【符号の説明】
１  吸込口
２  開閉ルーバ
３  吐出口
４  仕切板
4'  補助仕切板
５  前部収容部
６  集塵フィルタ
７  脱臭フィルタ
８  空気清浄フィルタ
９  後部収容部
10  ファンモータ
11  ファン
12  光触媒フィルタ
13  紫外線ランプ
14  メインダンパ
15  メイン空気通路
16  光触媒ダンパ
17  光触媒空気通路
ｈ  光触媒空気通路の長さ
【図１】
0004660981.tif 000002
【図２】
0004660981.tif 000003
【図３】
0004660981.tif 000004